(57)【要約】      （修正有）【課題】スタイラスペンを収納装置に差し込む時に誤った回転位置合わせをしたときの、スタイラスペンまたは収納装置の損傷を防止する。【解決手段】スタイラスペン１は１つの突起を有し、収納装置１０の内面にはパターン構造が設けられる。スタイラスペン１が収納装置１０に差し込まれる場合、当該パターン構造にそって突起がスライドする結果、スタイラスペン１は差し込まれるとき収納装置１０に対して回転し、１つの指定された回転位置に動かされる。あるいはスタイラスペン１の外面にパターン構造１３が設けられ、収納装置１０の内面が１つの突起５を有する。スタイラスペン１が収納装置１０に差し込まれるとき、当該突起５に接してパターン構造１３がスライドする結果、スタイラスペン１は差し込まれるとき収納装置１０に対して回転し、１つの指定された回転位置に動かされる。【選択図】図１０
2011090672.tif 000002
【特許請求の範囲】
【請求項１】
電子機器を操作するスタイラスペン（１）と、該スタイラスペン（１）を差し込むことができる収納装置（１０）とを有するシステムであって、
前記スタイラスペン（１）は１つの突起を有し、前記収納装置（１０）の内面にパターン構造（１３）が設けられ、前記スタイラスペン（１）が前記収納装置（１０）に差し込まれる場合、前記突起（５）が前記パターン構造にそってスライドする結果、前記スタイラスペン（１）は差し込まれるときに前記収納装置（１０）に対して回転し、本発明で指定する回転位置のグループに属する１つの指定された回転位置に動かされる、
ことを特徴とするシステム。
【請求項２】
電子機器を操作するスタイラスペン（１）と、該スタイラスペン（１）を差し込むことができる収納装置（１０）とを有するシステムであって、
前記スタイラスペン（１）の外面にパターン構造（１３）が設けられ、前記収納装置（１０）の内面が１つの突起（５）を有し、前記スタイラスペン（１）が前記収納装置（１０）に差し込まれる場合、前記突起に接して前記パターン構造（１３）がスライドする結果、前記スタイラスペンは差し込まれるときに前記収納装置（１０）に対して回転し、本発明で指定する回転位置のグループに属する１つの指定された回転位置に動かされる、
ことを特徴とするシステム。
【請求項３】
前記パターン構造（１３）は第１の領域（１７、２３）と第２の領域（１７、２３）とを有し、前記第１の領域（１７、２３）は、１つのポイントから内面または外面にそって時計回りに延在し、傾斜路状に一方の方向に降下し、前記第２の領域（１７、２３）は、前記ポイントから反時計回りに延在し、傾斜路状に前記と同一方向に降下する、
ことを特徴とする請求項１または２に記載のシステム。
【請求項４】
前記パターン構造（１３）は、螺旋形の部分を有する、
ことを特徴とする請求項１または２に記載のシステム。
【請求項５】
前記パターン構造（１３）に切り欠き状またはスロット状の領域（１６、２２、１９）が設けられ、前記スタイラスペン（１）が指定の回転位置に達したとき、前記領域に前記突起（５）が位置する、
ことを特徴とする請求項１または２に記載のシステム。
【請求項６】
前記スタイラスペン（１）を指定の回転位置に維持するのに適した固定手段（２０）を有する、
ことを特徴とする請求項１または２に記載のシステム。
【請求項７】
電子機器を操作するスタイラスペン（１）を収納装置（１０）内で回転位置合わせする方法であって、
前記スタイラスペン（１）は、前記収納装置（１０）に差し込まれるとき、該収納装置（１０）に対して回転し、突起（５）がパターン構造（１３）にそってスライドすることにより、前記スタイラスペンが本発明で指定する回転位置のグループに属する１つの指定された回転位置に動く、
ことを特徴とする方法。
【発明の詳細な説明】
【技術分野】
【０００１】
本発明は、電子機器を操作するスタイラスペンおよびそのスタイラスペンを差し込むことができる収納装置を含むシステムと、スタイラスペンの収納装置の中でスタイラスペンを回転位置合わせする方法とに関する。
【背景技術】
【０００２】
スタイラスペンを用いてタッチスクリーン等を介して操作することができる電子機器は、普及の一途にある。この電子機器は、たとえば携帯電話、あるいはノートパソコン、すなわちポータブルコンピュータであり得る。タブレットコンピュータ、すなわちスタイラスペンによって操作可能なポータブルコンピュータも考えられる。スタイラスペン及びタッチスクリーン等である電子機器の操作素子を用いて、該電子機器を制御することができる。たとえばタッチスクリーンに表示されたグラフィックなシンボルにタッチすることで、プログラムが起動され得る。スタイラスペンは、電子的な筆記器具として、あるいはメニュー項目を選択するため、あるいはプログラムをナビゲートするために用いることができる。
【０００３】
電子機器が動作状態にない場合のようなスタイラスペンが不要な場合、あるいは持ち運び中には、スタイラスペンは収納装置の中に収められ得る。収納装置は、電子機器に取り付けられたものとすることも、あるいは電子機器に一体化されたものとすることもできる。この種の解決法は、米国特許第７，５０８，３８３Ｂ２号明細書（特許文献１）から知られている。
【先行技術文献】
【特許文献】
【０００４】
【特許文献１】米国特許第７，５０８，３８３Ｂ２号明細書
【発明の概要】
【発明が解決しようとする課題】
【０００５】
収納装置に差し込む時に誤った回転位置合わせをすると、スタイラスペンまたは収納装置を損傷することがある。本発明は、これを本発明によるシステムによって防止することを目的とする。また、本発明は、収納装置にスタイラスペンを収めるときに必要である方法を示すことを目的とする。
【課題を解決するための手段】
【０００６】
上記の課題は、並列して示した独立請求項に挙げた措置によって解決される。
【０００７】
このシステムには、電子機器を操作するスタイラスペンと、その中にスタイラスペンを差し込むことができる収納装置とが設けられている。このスタイラスペンは１つの突起を有し、収納装置の内面には１つのパターン構造が設けられている。スタイラスペンが収納装置に差し込まれるとき、この突起はパターン構造にそってスライドするので、スタイラスペンは差し込まれるときに収納装置に対して回転し、本発明で指定する回転位置のグループに属する１つの回転位置へと動かされる。
【０００８】
次のように、代替的なシステムも意図される。すなわちかかるシステムの場合、スタイラスペンの外面にパターン構造が設けられ、収納装置の内面が突起を有し、スタイラスペンが収納装置に差し込まれるとき、この突起に接してパターン構造がスライドするので、スタイラスペンは差し込まれるとき収納装置に対して回転し、本発明で指定する回転位置のグループに属する１つの回転位置へと動かされる。
【０００９】
電子機器を操作するスタイラスペンを収納装置中で回転位置合わせする本方法は、スタイラスペンが収納装置に差し込まれるとき収納装置に対して回転すること、及び突起がパターン構造にそってスライドすることによって、スタイラスペンを本発明で指定する回転位置のグループに属する１つの回転位置へと動かすことを意図する。
【００１０】
スタイラスペンが収納装置の長手軸にそってこの収納装置に差し込まれる間、スタイラスペンは指定された回転位置へと回転される。このシステムは、スタイラスペンが誤った回転位置合わせによって差し込まれることを防止する。誤った回転位置合わせには、スタイラスペンまたは収納装置の損傷をともなうこととなろう。スタイラスペンが非回転対称形の領域、たとえばノックボタンを持つとき、収納装置内でのスタイラスペンの回転位置合わせは損傷を防止する。
【００１１】
指定された回転位置とは、スタイラスペンの収納装置に対する回転位置であって、スタイラスペン表面上の１つの基準点、たとえば突起またはパターン構造の一部が、指定された方向を指すことを意味する。スタイラスペンは、差し込まれたとき、基準点が指定された方向を指せば、指定された回転位置にある。この方向は、収納装置の長手軸に垂直、またはほぼ垂直であれば有利である。スタイラスペンの長手軸は、差し込まれるとき、収納装置の長手軸に平行またはほぼ平行、あるいは後者の長手軸と一致する。このスタイラスペンは、差し込まれる間または差し込み動作が終わるとき、たとえば最終ポジションに到達するとき、指定された回転位置に到達できることに、留意されたい。
【００１２】
このパターン構造は、収納装置の内面またはスタイラスペンの外面上の隆起物または突出領域なので、上記の突起を、パターン構造の任意の箇所に接触させ、そこからパターン構造にそって指定された回転位置までスライドさせることができる。スタイラスペンを差し込む前に回転位置合わせする必要はなく、スタイラスペンは差し込まれるとき突起及びパターン構造の相互作用によって回転位置合わせされる。
【００１３】
指定された回転位置には、たとえば２つの末端を持つパターン構造の場合、突起が収納装置開口から遠い方のパターン構造末端に達したときに、到達することができる。始点と終点を持たない周回型のパターン構造の場合、突起が局部的な極値等であるパターン構造曲線の極値、言い換えれば曲線の谷に達したとき、指定された回転位置に、また最終ポジションが存在する場合はそのポジションに、到達する。この曲線の谷は、隣接する極値、たとえば曲線の山よりも、収納装置開口から遠くにあるものとする。
【００１４】
そのほかの有利な実施形態は、従属請求項に記載される。
【００１５】
ある一実施例では、スタイラスペンを、指定されたただ１つの回転位置に動かすことができる。これにより、収納装置の形状をスタイラスペンに適合させることができる。
【００１６】
スタイラスペンに回転可能な頭部を設け、その結果、スタイラスペンは差し込まれるときにその指定された回転位置まで回転するが、スタイラスペンの頭部は回転させることなく、ユーザはこの頭部を持ち、あるいは押すことができるものとすれば有利である。
【００１７】
一実施例では、このパターン構造が第１の領域と第２の領域とを含み、この場合、第１の領域は、ある１つのポイントから時計回りの方向に内面または外面にそって延び、そして傾斜路の形状を取りながら１つの方向に降下する。そして第２の領域は、そのポイントから時計回りの反対方向に延び、傾斜路の形状を取りながら上記と同一方向に降下する。突起は、スタイラスペンが差し込まれるとき、これらの傾斜路にそってスライドするので、スタイラスペンは指定された回転位置まで回転される。一実施例では、傾斜路状の領域が垂直またはほとんど垂直に降下する。
【００１８】
一実施例では、パターン構造が螺旋形の部分を含む。この螺旋形部分は、収納装置の内面またはスタイラスペンの外面に沿いながら、一周に満たない長さ、ちょうど一周、または一周を超える長さとすることができる。一実施例では、パターン構造と突起がネジ山を形成し、これによりスタイラスペンを指定された回転位置までねじることができる。
【００１９】
一実施例では、パターン構造に切り欠き状またはスロット状の領域を設けて、スタイラスペンが指定された回転位置にあるとき、突起もこの領域にあるものとする。突起がこの領域内にスライドすると、それ以上の回転が阻止される。
【００２０】
一実施例では、スタイラスペンの最終ポジションを指定の回転位置とすることができ、スタイラスペンをこの位置で保持するための固定手段を設けている。この固定手段は突起を、たとえば摩擦またはラッチ固定によって、摩擦連結保持および／または嵌合連結保持することができる。
【００２１】
下記では図面を参照しながら、実施例を用いて本発明を説明する。
【図面の簡単な説明】
【００２２】
【図１】スタイラスペンの一実施例を示す。
【図２】スタイラスペンの他の実施例を示す。
【図３】スタイラスペンの他の実施例を示す。
【図４Ａ】収納装置の一実施例の平面図である。
【図４Ｂ】収納装置の断面図の一部である。
【図４Ｃ】他の収納装置の断面図の一部である。
【図５】パターン構造の実施例である。
【図６】パターン構造の実施例である。
【図７】パターン構造の実施例である。
【図８】パターン構造の実施例である。
【図９】パターン構造の実施例である。
【図１０】スタイラスペン及び収納装置からなるシステムの実施例である。
【発明を実施するための形態】
【００２３】
各実施例では、同じ配置部品には同じ参照符号を付した。重複を避けるため、同じ配置については説明を繰り返さないものとする。
【００２４】
図１は、スタイラスペン１の一実施例を示す。このスタイラスペン１は、たとえばテキストを入力し、図面を作成し、メニュー項目を選択し、あるいはプログラムをナビゲートするなど、電子機器（図示せず）のタッチスクリーン（図示せず）を操作するのに適している。これは、タッチスクリーンに触れるかあるいはスタイラスペンをタッチスクリーンの近辺に持っていくことによって行うことができる。この電子機器は、たとえばビデオゲーム機、携帯電話、またはポータブルコンピュータであり得る。タブレットコンピュータの場合、入力はスタイラスペン１によって直接スクリーン上で行われる。制御はタブレットキーを使用して行うことができる。
【００２５】
スタイラスペン１は、ペン本体４及び頭部３を含む。タッチスクリーンは、先端２として形成されたペン本体４の末端を用いて接触される。一実施例では、スタイラスペンは、回転対称形の領域を含む。頭部３はペン本体４に対して回転可能に取り付けられ得る。さらにスタイラスペン１は、スタイラスペン１の外面に突起５を備える。この突起５は、先端近くに、または頭部近くに、またはこれら両者の間に配置され得る。突起５は、人間の鼻状、円筒形、または隆起物状に形成され得る。線Ａ−Ａ′で切ると断面がほぼ円形のペン本体４を持つスタイラスペン１の場合、突起５は、本来円形の断面（図示せず）に生じたふくらみである。
【００２６】
図２は、スタイラスペン１の他の一実施例を示す。この実施例ではペン本体４が、スタイラスペン１の先端近くの末端領域６よりも、大きな半径を有する。突起５は、ペン本体４のたとえば先がとがっている領域であって、この領域が先端２の方向にもっとも遠くまで延びている。ペン本体４は、末端領域６の半径方向向かい側で高くなって１つのパターン構造を形成し、このパターン構造は先端にもっとも近い領域が突起５を形成することに留意されたい。図２では線Ａ−Ａ′で表示されている突起５の箇所に、スタイラスペン１は断面が円形のふくらみを有する（図示せず）。
【００２７】
スタイラスペン１は、データを電子機器に転送できる電子ペンとして形成することができる。図３は、ロッカースイッチ７を持つ電子ペン１の一実施例を示す。このロッカースイッチは、たとえばマウスキーの左右を選択する機能を持つことができる。さらにこのスタイラスペン１は消去装置８を備え、スタイラスペン１の頭部側がタッチスクリーンに触れると、この消去装置でタッチスクリーン上のテキストまたは諸要素を消すことができる。そのほかにペン紐（図示せず）のための鳩目９を設け、このペン紐を電子機器（図示せず）に結び付け、スタイラスペン１がたとえば落ちたりして失われるのを防止する。
【００２８】
この種の電子ペン１は、メニュー項目を選択したり、プログラムをナビゲートしたりするだけでなく、筆記用具１として、スタイラスペン１で直接スクリーンに書き込むことにより、テキストを入力するのに用いることができる。このスタイラスペンは、製図用具としても用いることができる。書き込まれたものまたは図示されたものにそって消去装置８は動かされ、該消去機能によってタッチスクリーン上の諸要素が消され得る。
【００２９】
スタイラスペン１は通常、たとえばペン格納穴として形成された収納装置１０に収納され、固定される。ペン格納穴は、電子機器に組み込まれたものとすることができる。一実施例（図示せず）では、ペン格納穴の開口が、ノートパソコンの一方の側、たとえばプラグ差し込み穴および／またはカードスロットが設けられている側に配置される。
【００３０】
図４Ａは、スロット型の収納装置１０の一実施例の平面図である。図４Ｂは、図４Ａで示された収納装置１０を線Ｂ−Ｂで切った断面図を示す。
【００３１】
収納装置１０は、スタイラスペン１の少なくとも一部を差し込むことができる長さとする。スタイラスペンとしては、全体またはほぼ全体を差し込まれるのが便利である。
【００３２】
この実施例では、収納装置１０が外側スリーブ１１と内側スリーブ１２とを含み、両者のスリーブはたがいに結合されている。スリーブ１１、１２は、円形の断面を持つ縦長の中空体である。外側スリーブ１１の上縁は、収納装置１０の開口である。一実施例では、収納装置１０が一体型に形成されている。収納装置１０は、電子機器に直接取り付けられているか、電子機器に組み込まれていれば有利である。一実施例（図示せず）では、収納装置１０は電子機器の一部、たとえばハウジングの一部である。
【００３３】
内側スリーブ１２の上縁は、収納装置１０の内面で半径方向内側を向く段付部であって、かつ収納装置１０の内面のパターン構造１３を形成する。
【００３４】
この実施例でパターン構造１３は、ジグザグを描きながら収納装置１０の内面を周回する形状である。たとえば２つの山１５と２つの谷１６が設けられ、山と谷の間に傾斜路形の部分１７が延びる。山１５は丸みづけられている。谷１６に丸みづけすることも考えられる。
【００３５】
スタイラスペン１（図４Ａ、４Ｂ、４Ｃでは図示しない）を収納装置１０に差し込むとき、スタイラスペン１の先端２は、突起５がパターン構造１３に接触するまで、図４Ｂの矢印で示した長手方向を前方に動かされる。スタイラスペン１が回転位置合わせされていないので、突起５はパターン構造１３の任意の箇所に接触できることに留意されたい。
【００３６】
突起５がパターン構造１３に接触すると、スタイラスペン１が長手方向にさらに動くとき、突起５がパターン構造１３にそってスライドするので、長手軸を中心とする回転運動が生じる。突起５が谷１６に達すると、スタイラスペン１の長手方向運動が停止される。
【００３７】
突起５が傾斜路状部分１７に接触すると、この突起はもっとも近い谷１６の方向に案内される。突起５が山１５に接触すると、この突起は、一方または他方の方向に、すなわち複数の谷１６のいずれかに案内される。谷１６が２つあるとき、スタイラスペン１は、２つの指定された回転位置かつ最終ポジションを取ることができる。スタイラスペンは差し込まれた後、その最終ポジションを取る。
【００３８】
図４Ｃは、やはり図４Ａに示したのと同じ平面図を持つ他の一実施例の断面図である。図４Ｂに示した実施例と異なる点は、パターン構造１３が、収納装置１０の内面を周回するリッジ１８によって形成されることである。リッジ１８は、図４Ｂの内側スリーブ１２の上端と同様に延びる。リッジ１８はこの場合、四角形の横断面を持つ。そのほかの形も考えられる。
【００３９】
代替的な実施形態（図示せず）では、パターン構造１３を周回型に形成せず、谷１６の領域で中断する。スタイラスペン１の長手方向運動は、上記と異なる手段で、たとえば収納装置１０の底面にペン先端２が突き当たることによって停止させることができる。この種の実施例の場合も、突起がパターン構造末端の中断部分に達するとき、スタイラスペン１は指定された回転位置に案内される。
【００４０】
図５は、パターン構造１３の他の一実施例を示す。見やすくするため、この図では収納装置１０の内側スリーブ１２だけを示す。この種のパターン構造１３は、リッジ１８によっても形成できることに留意されたい。この実施例では、スタイラスペン１をただ１つの指定された回転位置に案内することができる。パターン構造１３は、山１５と谷１６をただ１つずつ有し、この山は丸みづけられている。この山と谷の間に傾斜路状のパターン構造領域１７が設けられている。これらパターン構造領域の１つは、収納装置１０の内面にそって降下しながら反時計回りに延び、この方向にスタイラスペン１が導かれる。他の１つは、収納装置１０の内面にそって降下しながら時計回りに延び、この方向にスタイラスペン１が導かれる。
【００４１】
スタイラスペン１を収納装置１０に差し込むとき、突起５がパターン構造１３に接触するまで、スタイラスペン１を、矢印で示した長手方向に動かすことができる。突起５がパターン構造１３に接触してから、スタイラスペン１を長手方向にさらに動かすと、突起５がパターン構造１３にそってスライドするので、回転運動を生じる。突起５が谷１６に達すると、スタイラスペン１の長手方向運動は停止される。谷１６は楔形に形成されているので、突起５が谷１６に達すると、スタイラスペン１はそれ以上回転運動しなくなる。この突起は谷１６の形状に適合されていれば有利である。
【００４２】
図６はパターン構造１３の他の一実施例を示す。この場合も見やすくするために、内側スリーブ１２だけを示す。この種のパターン構造１３は、リッジ１８によっても形成できることに留意されたい。この実施例が図５に示した実施例と異なるのは、谷がスロット状に形成されている点である。この例では、突起５がまず傾斜路１７にそって、次にスロット１９にそってスライドする。突起５がスロット１９の開始位置にあるとき、スタイラスペン１は指定された回転位置に達する。突起５がスロット１９を下方にスライドするとき、この回転位置は維持される。さらにこの実施例では、スタイラスペン１を最終ポジションに固定する固定手段２０が備えられている。この実施例でスロット１９は下端を拡幅されているので、突起５はそこに固定され、そしてスタイラスペン１は偶然滑り落ちたりしないよう保持される。固定手段２０の代替的な仕様として、スタイラスペン１を摩擦連結および／または嵌合連結で固定することも考えられる。
【００４３】
図７は、パターン構造１３の他の一実施例を示す。この場合も内側スリーブ１２だけを示す。この種のパターン構造１３は、リッジ１８によっても形成できることに留意されたい。この実施例が上記の実施例と異なるのは、スロット１９が垂直ではなく、斜めに位置する点である。この部分は螺旋形なので、スタイラスペン１の突起５がパターン構造１３にそってスライドするとき、スタイラスペンは、スロット末端に達するまでさらに回転する。この場合、スタイラスペン１が外れ落ちるには回転運動が必要になるので、螺旋形のスロット１９は、スタイラスペン１が外れ落ちるのを防止する。突起５が反時計回りに延びる部分１７にそってスライドするとき、突起は、回転方向を変えることなくスロット末端に案内される。突起が他方の傾斜路部分１７に接触すると、スロット末端への途中で回転方向の変化が生じる。
【００４４】
図８は、パターン構造１３の他の一実施例を示す。この場合も内側スリーブ１２だけを示す。この種のパターン構造１３は、リッジ１８によっても形成できることに留意されたい。この実施例でパターン構造１３は螺旋形に形成されている。パターン構造は、収納装置１０の内面にそって螺旋を描きながら長手方向に降下する。突起５は、指定された回転方向を取りながら、螺旋末端までスライドする。この実施例で螺旋は、収納装置１０の内面にそって一周する。しかしこれより短い螺旋部分であって一周に満たないもの、またはこれより長い螺旋部分であって一周を超えるものも可能である。ある実施例（図示せず）では、垂直に降下するスロットを螺旋末端に設けるものもある。
【００４５】
図９は螺旋形のリッジ状のパターン構造１３の実施例を示す。見やすくするため、内側でパターン構造１３を備えるスリーブ１２の図示は省略した。このパターン構造は、収納装置１０の内面にそって５４０度延び、収納装置開口から遠い方のパターン構造末端に、突起５のためのストップ箇所を持たない。この実施例の場合、突起５（図９では図示しない）とパターン構造１３とがネジ山を形成する。スタイラスペン１は、指定された回転位置まで回転される。突起５がパターン構造１３を通過した後、回転位置合わせ済みのスタイラスペン１を、さらに長手方向に動かすことができる。さらに長手方向に動かすとき、たとえば適切な案内によって、回転位置を維持することができる。たとえば図３に示したスタイラスペンは、その突起５がパターン構造１３を通過した後に回転位置合わせられるので、さらに続けて差し込まれると、そのため設けられた切り欠き（図示せず）を鳩目９がスライドするので、スタイラスペン１がさらに回転運動するのが防止される。
【００４６】
図１０は、スタイラスペン１と収納装置１０とを持つシステムの他の一実施例を示す。この実施例でスタイラスペン１は、スタイラスペン１の外面にパターン構造１３を設けられている。この場合、パターン構造１３は、先端にもっとも近いポイント２１と、先端にもっとも遠いポイント２２とを持ち、両ポイント間に傾斜路状の領域２３が延びている。ペン本体４は、スタイラスペンの末端領域６よりも半径が大きく、この場合、ペン本体４の突出するエッジがパターン構造１３を形成する。
【００４７】
収納装置１０は、内面に突起５を設けられているスリーブ１１を含む。スタイラスペン１が収納装置１０に差し込まれるとき、突起５はパターン構造１３に接触する。そしてスタイラスペン１がさらに長手方向に動かされると、このパターン構造は、突起５に接してスライドする。これにより、突起５が先端からもっとも遠いポイント２２に達するまで、スタイラスペン１は回転運動に置かれる。そうするとスタイラスペン１は、その指定された回転位置と最終ポジションとに達することになる。スタイラスペン１に施されているパターン構造も、図４Ａ〜９に示した諸特徴または上記の説明で言及した諸特徴を、当然備えることができることに留意されたい。
【００４８】
突起５を、収納装置１０の内面を周回するパターン構造において開口にもっとも近いポイントにあるものとし（図１０では図示しない）、かつこのパターン構造は、スタイラスペン１がその指定されたポジションに達すると、スタイラスペン１のパターン構造１３と収納装置１０のパターン構造とがたがいに合致するように形成されることも考えられる。
【００４９】
たとえば図２に示すように、スタイラスペンの頭部３をペン本体４に対して回転可能とすれば有利である。この場合、先端２が収納装置１０に差し込まれるとき、たとえばユーザが指先でスタイラスペン１の頭部３を押してスタイラスペン１を押し込むことによって、ユーザがこの頭部３だけに接触すれば、差し込むときにスタイラスペン４を指定された回転位置まで回転させ、しかもそのとき頭部３を収納装置１０に対して回転させないことが可能である。これによりスタイラスペン１の差し込みが容易になる。
【００５０】
各実施例に示した諸特徴と従属請求項とは組み合わせ可能であることに留意されたい。
【符号の説明】
【００５１】
１  スタイラスペン
２  先端
３  頭部
４  ペン本体
５  突起
６  末端領域
７  ロッカースイッチ
８  消去装置
９  鳩目
１０  収納装置
１１  外側スリーブ
１２  内側スリーブ
１３  パターン構造
１５  山
１６  谷
１７、２３  傾斜路
１８  リッジ
１９  スロット
２０  固定手段
２１  先端にもっとも近いポイント
２２  先端にもっとも遠いポイント
【図１】
2011090672.tif 000003
【図２】
2011090672.tif 000004
【図３】
2011090672.tif 000005
【図４Ａ】
2011090672.tif 000006
【図４Ｂ】
2011090672.tif 000007
【図４Ｃ】
2011090672.tif 000008
【図５】
2011090672.tif 000009
【図６】
2011090672.tif 000010
【図７】
2011090672.tif 000011
【図８】
2011090672.tif 000012
【図９】
2011090672.tif 000013
【図１０】
2011090672.tif 000014